(57)【要約】【課題】電気用品としての安全性と電力供給配線時の施工性とが高められた照明装置及び電源装置を提供する。【解決手段】照明装置は、一端に第１コネクタＣ１が接続されている第１電気配線Ｗ１が引き出された照明器具１と、一端に第２コネクタＣ２が接続されている第２電気配線Ｗ２が引き出された電源装置２と、を備える。電源装置２は、第１コネクタＣ１と第２コネクタＣ２とが嵌合して電気的に接続された状態で、照明器具１に電力を供給する。そして、第２コネクタＣ２は、基礎絶縁より絶縁性能の高い感電保護が可能な感電保護機構を有する。【選択図】図１
2018018648.tif 000002
【特許請求の範囲】
【請求項１】
一端に第１コネクタが接続されている第１電気配線が引き出された照明器具と、
一端に第２コネクタが接続されている第２電気配線が引き出された電源装置と、
備え、
前記第１コネクタと前記第２コネクタとが嵌合して電気的に接続された状態で、前記電源装置が前記照明器具に電力を供給し、
前記第２コネクタは、基礎絶縁より絶縁性能の高い感電保護が可能な感電保護機構を有する、照明装置。
【請求項２】
前記第２コネクタは、前記感電保護機構として、基礎絶縁に付加絶縁を施した絶縁構造、又はこれと同等以上の絶縁性能の発揮が可能な絶縁構造を有する、請求項１に記載の照明装置。
【請求項３】
前記電源装置は、非絶縁型の電力変換回路を有し、前記第２電気配線は、前記電力変換回路の出力側に接続されている、請求項１又は２に記載の照明装置。
【請求項４】
前記第１コネクタは、前記第１電気配線に電気的に接続されたピンコンタクトを有し、
前記第２コネクタは、前記第２電気配線に電気的に接続されたソケットコンタクトを有する、請求項１〜３の何れかに記載の照明装置。
【請求項５】
前記第１コネクタ及び前記第２コネクタは、これらの嵌合時に互いに電気的に結合する前記ピンコンタクト及び前記ソケットコンタクトを２本ずつ有し、
前記第１コネクタは、２本の前記ピンコンタクトが内側にそれぞれ収められた２つの筒状嵌合部を有し、
前記第２コネクタは、前記感電保護機構として、前記第１コネクタと前記第２コネクタとの嵌合時に２つの前記筒状嵌合部にそれぞれ挿入される２つの挿入部と、当該嵌合時に２つの前記筒状嵌合部がそれぞれ嵌合する２つの嵌合凹部と、を有し、
２つの前記嵌合凹部の内側に２つの前記挿入部がそれぞれ設けられ、当該２つの挿入部により２本の前記ソケットコンタクトがそれぞれ覆われている、請求項４に記載の照明装置。
【請求項６】
前記第２コネクタは、前記嵌合時に２つの前記筒状嵌合部の何れをも覆う外壁絶縁部と、前記嵌合時に２つの前記筒状嵌合部の間に介在する仕切り絶縁部と、を有し、前記外壁絶縁部と前記仕切り絶縁部とにより２つの前記嵌合凹部が形成されている、請求項５に記載の照明装置。
【請求項７】
電気配線が引き出されており、当該電気配線を介して電力供給対象に接続される電源装置であって、
前記電気配線が出力側に接続された非絶縁型の電力変換回路と、
前記電力供給対象に着脱可能に接続されるコネクタと、
を備え、
前記コネクタは、基礎絶縁より絶縁性能の高い感電保護が可能な感電保護機構を有する、電源装置。
【発明の詳細な説明】
【技術分野】
【０００１】
本発明は、照明器具等の電力供給対象に接続される電源装置、及び当該電源装置を備えた照明装置に関する。
【背景技術】
【０００２】
直流電圧で駆動するＬＥＤ（Light  Emitting  Diode）照明器具等を電力供給対象とする場合、電力供給源である電源装置には、交流電圧を直流電圧に変換する電力変換回路（ＡＣ−ＤＣコンバータ）が搭載される。従来、電力供給対象に対して外付けで接続される電源装置では、安全性の確保が容易な絶縁型の電力変換回路が用いられることが多かった（例えば、特許文献１参照）。ここで、電源装置において安全性が確保された状態とは、電力供給対象との接続に使用される出力側のコネクタでの感電の危険性が殆どない状態をいう。
【０００３】
一般的に、絶縁型の電力変換回路はトランスを含み、当該トランスにより１次側（入力側）と２次側（出力側）とが電気的に絶縁されている。よって、絶縁型の電力変換回路においては、これが何らかの原因で故障したときであっても高い交流電圧がそのまま出力されてしまうことがなく、安全である。
【０００４】
一方、絶縁型の電力変換回路には、トランスの設置が必要であるが故に製造コストが高くなる問題や、トランスを介して電力が変換されるが故に電源効率の向上に限界があるという問題などがある。
【０００５】
そこで、非絶縁型の電力変換回路を用いることが検討されている。非絶縁型の電力変換回路によれば、トランスが不要であるが故に、製造コストを抑えることができ、且つ、高い電源効率を得ることができる。
【先行技術文献】
【特許文献】
【０００６】
【特許文献１】特開２０１３−１４３８０７号公報
【発明の概要】
【発明が解決しようとする課題】
【０００７】
しかしながら、非絶縁型の電力変換回路では、これが何らかの原因で故障したときに高い交流電圧がそのまま出力されてしまう虞がある。安全性を確保するためには、出力側のコネクタを覆う開閉可能なカバー等を電源装置に設けることが必要となる。しかし、その様なカバー等の設置は、電源装置の構造を複雑にする。このため、照明器具等の電力供給対象と電源装置との接続時（電力供給配線時）に煩雑な施工が必要になるという問題や、カバーの閉め忘れにより、安全性が低下するという問題が生じ易かった。
【０００８】
そこで本発明の目的は、電気用品としての安全性と電力供給配線時の施工性とが高められた照明装置及び電源装置を提供することである。
【課題を解決するための手段】
【０００９】
本発明に係る照明装置は、一端に第１コネクタが接続されている第１電気配線が引き出された照明器具と、一端に第２コネクタが接続されている第２電気配線が引き出された電源装置と、を備える。電源装置は、第１コネクタと第２コネクタとが嵌合して電気的に接続された状態で、照明器具に電力を供給する。そして、第２コネクタは、基礎絶縁より絶縁性能の高い感電保護が可能な感電保護機構を有する。
【００１０】
上記照明装置によれば、第２コネクタにおいて基礎絶縁より絶縁性能の高い感電保護が実現されるため、電源装置が何らかの原因で故障したときに高い交流電圧がそのまま出力されてしまったとしても、安全である。具体的には、第２コネクタが第１コネクタから外されている場合であっても、第２コネクタでの感電の危険性がなく、安全である。
【００１１】
又、照明器具と電源装置とを接続する際（電力供給配線時）に、第２電気配線を、電源装置の設置場所から作業し易い場所まで導き、その場所で第１コネクタと第２コネクタとを接続することが可能となる。
【００１２】
上記照明装置の具体的な構成において、第２コネクタは、感電保護機構として、基礎絶縁に付加絶縁を施した絶縁構造、又はこれと同等以上の絶縁性能の発揮が可能な絶縁構造を有する。この構成によれば、より安全性の高い感電保護が可能となる。
【００１３】
上記照明装置の具体的な構成において、電源装置は、非絶縁型の電力変換回路を有し、第２電気配線は、電力変換回路の出力側に接続されている。この構成によれば、トランスが不要であるが故に、製造コストを抑えることができ、且つ、高い電源効率を得ることができる。
【００１４】
上記照明装置の具体的な構成において、第１コネクタは、第１電気配線に電気的に接続されたピンコンタクトを有し、第２コネクタは、第２電気配線に電気的に接続されたソケットコンタクトを有する。
【００１５】
上記照明装置の具体的な構成において、第１コネクタ及び第２コネクタは、これらの嵌合時に互いに電気的に結合するピンコンタクト及びソケットコンタクトを２本ずつ有する。第１コネクタは、２本のピンコンタクトが内側にそれぞれ収められた２つの筒状嵌合部を有する。第２コネクタには、感電保護機構として、第１コネクタと第２コネクタとの嵌合時に２つの筒状嵌合部にそれぞれ挿入される２つの挿入部と、当該嵌合時に２つの筒状嵌合部がそれぞれ嵌合する２つの嵌合凹部と、を有する。そして、２つの嵌合凹部の内側に２つの挿入部がそれぞれ設けられ、当該２つの挿入部により２本のソケットコンタクトがそれぞれ覆われている。この構成によれば、基礎絶縁より絶縁性能の高い感電保護を容易に実現することができる。
【００１６】
より具体的には、第２コネクタは、第１コネクタと第２コネクタとの嵌合時に２つの筒状嵌合部の何れをも覆う外壁絶縁部と、当該嵌合時に２つの筒状嵌合部の間に介在する仕切り絶縁部と、を有し、外壁絶縁部と仕切り絶縁部とにより２つの嵌合凹部が形成されている。
【００１７】
本発明に係る電源装置は、当該電気配線を介して電力供給対象に接続される電源装置であって、電気配線が引き出されている。当該電源装置は、電気配線が出力側に接続された非絶縁型の電力変換回路と、電力供給対象に着脱可能に接続されるコネクタと、を備える。そして、コネクタは、基礎絶縁より絶縁性能の高い感電保護が可能な感電保護機構を有する。
【００１８】
上記電源装置によれば、コネクタにおいて基礎絶縁より絶縁性能の高い感電保護が実現されるため、電源装置（主に電力変換回路）が何らかの原因で故障したときに高い交流電圧がそのまま出力されてしまったとしても、安全である。具体的には、コネクタが電力供給対象から外されている場合であっても、コネクタでの感電の危険性がなく、安全である。
【００１９】
又、電力供給対象と電源装置とを接続する際（電力供給配線時）に、電気配線を、電源装置の設置場所から作業し易い場所まで導き、その場所でコネクタを電力供給対象に接続することが可能となる。
【発明の効果】
【００２０】
本発明に係る照明装置及び電源装置によれば、電気用品としての安全性と電力供給配線時の施工性とが高められる。
【図面の簡単な説明】
【００２１】
【図１】本発明の実施形態に係る照明装置を示した概念図である。
【図２】非絶縁型の電力変換回路として、（Ａ）昇圧型の回路、（Ｂ）降圧型の回路、（Ｃ）昇降圧型の回路をそれぞれ示した図である。
【図３】照明装置が備える第１コネクタ及び第２コネクタの斜視図である。
【図４】（Ｃ）第１コネクタの平面図、（Ｂ）第１コネクタをその先端側から見た図、（Ｃ）図４（Ａ）に示されるIVC−IVC線に沿う断面図、及び（Ｄ）図４（Ａ）に示されるIVD−IVD線に沿う断面図である。
【図５】（Ａ）第２コネクタの平面図、（Ｂ）第２コネクタをその先端側から見た図、（Ｃ）図５（Ａ）に示されるVC−VC線に沿う断面図、及び（Ｄ）図５（Ａ）に示されるVD−VD線に沿う断面図である。
【図６】第２コネクタの一部を破断して示した斜視図である。
【発明を実施するための形態】
【００２２】
図１は、本発明の実施形態に係る照明装置を示した概念図である。図１に示される様に、照明装置は、ＬＥＤ照明器具１と、電源装置２と、を備える。ＬＥＤ照明器具１は、ＬＥＤ１２が配設された照明器具本体１１を有し、第１電気配線Ｗ１が照明器具本体１１から引き出されている。又、第１電気配線Ｗ１の一端には第１コネクタＣ１が接続されている。電源装置２は、電力を変換する電源装置本体２１を有し、第２電気配線Ｗ２が電源装置本体２１から引き出されている。又、第２電気配線Ｗ２の一端には第２コネクタＣ２が接続されている。そして、第１コネクタＣ１と第２コネクタＣ２とが嵌合して電気的に接続された状態で、電源装置２がＬＥＤ照明器具１に電力を供給する。
【００２３】
電源装置本体２１は、ＬＥＤ照明器具１に直流電圧を供給する電力供給源であり、ＬＥＤ照明器具１に対して外付けで接続される。ここで、「外付け」は、電源装置本体２１がＬＥＤ照明器具１とは別体で設けられ、ケーブル等の電気配線を介して互いに接続されることを意味する。一例として、電源装置本体２１は、ＬＥＤ照明器具１とは別の箇所に別置きで設置され、ケーブル等の電気配線を介してＬＥＤ照明器具１に接続される。
【００２４】
電源装置本体２１には、入力側の電気配線が例えば商用電源に接続されることにより、交流電圧が供給される。電源装置本体２１は、入力された交流電圧を直流電圧に変換する電力変換回路２２を有している。電力変換回路２２は、電源装置本体２１に内蔵される回路基板に構築されており、本実施形態では非絶縁型の電力変換回路である。非絶縁型の電力変換回路には、例えば、図２（Ａ）に示される昇圧型の回路、図２（Ｂ）に示される降圧型の回路、又は図２（Ｃ）に示される昇降圧型の回路などが存在する。非絶縁型の電力変換回路は、トランスが不要であるが故に、製造コストを抑えることができ、且つ、高い電源効率を得ることができる。
【００２５】
照明器具本体１１から引き出された第１電気配線Ｗ１は、照明器具本体１１への直流電圧の入力に使用される電力供給用の配線である。電源装置本体２１から引き出された第２電気配線Ｗ２は、電源装置本体２１からの直流電圧の出力に使用される電力供給用の配線である。具体的には、第２電気配線Ｗ２は、その他端（第２コネクタＣ２が接続されている一端とは反対側の端）が電力変換回路２２の出力側に接続されている。
【００２６】
図３は、第１コネクタＣ１及び第２コネクタＣ２の斜視図である。図１及び図３に示される様に、第１コネクタＣ１及び第２コネクタＣ２は、互いに着脱可能に嵌合するコネクタである。
【００２７】
図４（Ａ）は、第１コネクタＣ１の平面図であり、図４（Ｂ）は、第１コネクタＣ１をその先端３１ａ側から見た図である。又、図４（Ｃ）は、図４（Ａ）に示されるIVC−IVC線に沿う断面図である。これらの図に示される様に、第１コネクタＣ１は、第１電気配線Ｗ１に電気的に接続された２本のピンコンタクト３１ｔ１及び３１ｔ２と、当該ピンコンタクト３１ｔ１及び３１ｔ２を保持した第１ハウジング３１ｈと、を有する。
【００２８】
本実施形態では、第１ハウジング３１ｈはリセプタクルハウジングである。具体的には、第１ハウジング３１ｈは、２本のピンコンタクト３１ｔ１及び３１ｔ２が同方向に向けて保持されたベース部３１０と、２本のピンコンタクト３１ｔ１及び３１ｔ２がそれぞれ内側に収まる様にベース部３１０に立設された２つの筒状嵌合部３１１及び３１２と、を有する。
【００２９】
又、筒状嵌合部３１１及び３１２は何れも、第１コネクタＣ１の先端３１ａ側から見た形状が略正方形となる形状を呈している（図４（Ｂ）参照）。尚、筒状嵌合部３１１及び３１２の形状は、これに限定されるものではなく種々の変形が可能である。
【００３０】
図５（Ａ）は、第２コネクタＣ２の平面図であり、図５（Ｂ）は、第２コネクタＣ２をその先端３２ａ側から見た図である。又、図５（Ｃ）は、図５（Ａ）に示されるVC−VC線に沿う断面図である。更に、図６は、第２コネクタＣ２の一部を破断して示した斜視図である。これらの図に示される様に、第２コネクタＣ２は、第２電気配線Ｗ２に電気的に接続された２本のソケットコンタクト３２ｔ１及び３２ｔ２と、当該ソケットコンタクト３２ｔ１及び３２ｔ２を保持した第２ハウジング３２ｈとを有する。第２ハウジング３２ｈは、第１ハウジング３１ｈとの嵌合が可能な構成を有し、これらの嵌合時（即ち、第１コネクタＣ１と第２コネクタＣ２との嵌合時）に、ピンコンタクト３１ｔ１及び３１ｔ２をそれぞれソケットコンタクト３２ｔ１及び３２ｔ２に電気的に結合させる。
【００３１】
具体的には、第２ハウジング３２ｈは、部分的にプラグハウジングとしての構成を有し、２本のソケットコンタクト３２ｔ１及び３２ｔ２が同方向に向けて保持されたベース部３２０と、当該ベース部３２０に立設された２つの挿入部３２１ｈ及び３２２ｈと、を有する。挿入部３２１ｈ及び３２２は、第１コネクタＣ１と第２コネクタＣ２との嵌合時に、リセプタクルハウジングである第１ハウジング３１ｈの筒状嵌合部３１１に挿入されるものである。又、２本のソケットコンタクト３２ｔ１及び３２ｔ２はそれぞれ、ピンコンタクト３１ｔ１及び３１ｔ２との結合が可能な状態で、挿入部３２１ｈ及び３２２ｈによって被覆されると共に保持されている。
【００３２】
更に、第２ハウジング３２ｈは、第１コネクタＣ１と第２コネクタＣ２との嵌合時に、挿入部３２１ｈ及び３２２ｈがそれぞれ挿入された筒状嵌合部３１２及び３２２の何れをも覆う外壁絶縁部３２０Ａと、筒状嵌合部３１２及び３２２の間に介在する仕切り絶縁部３２０Ｂと、を有する。即ち、外壁絶縁部３２０Ａは、先端３２ａ側に開口した筒状を呈し、仕切り絶縁部３２０Ｂは、外壁絶縁部３２０Ａの内側の空間を２つに区画している。この様な構成により、第２ハウジング３２ｈには、筒状嵌合部３１１及び３１２が挿入されると共にそれぞれと嵌合する２つの嵌合凹部３２１及び３２２が形成されている。
【００３３】
そして、嵌合凹部３２１及び３２２の内側に、挿入部３２１ｈ及び３２２ｈがそれぞれ設けられている。より具体的には、外壁絶縁部３２０Ａは、開口端から内側へ所定の距離（図５（Ｃ）に示される距離Ｌ１参照）だけ入り込んだ位置がソケットコンタクト３２ｔ１及び３２ｔ２の先端の位置となる様に、構成されている。これにより、ソケットコンタクト３２ｔ１及び３２ｔ２は、それぞれが挿入部３２１ｈ及び３２２ｈによって覆われ、更に外側から外壁絶縁部３２０Ａにより覆われている。
【００３４】
筒状嵌合部３１１と嵌合凹部３２１との嵌合は、主に摩擦係合によるものである。即ち、筒状嵌合部３１１が嵌合凹部３２１に挿入されることにより、これらの接触面間に摩擦力が生じ、その摩擦力により、筒状嵌合部３１１と嵌合凹部３２１とが互いに係合する。筒状嵌合部３１２と嵌合凹部３２２との嵌合についても同様である。本実施形態では、嵌合凹部３２１は、筒状嵌合部３１１の外面形状より僅かに小さい内面形状（凹形状）を呈しており、筒状嵌合部３１１との係合（主に摩擦係合）が可能となっている。嵌合凹部３２２についても同様である。尚、嵌合凹部３２１及び３２２の形状は、これに限定されるものではなく、筒状嵌合部３１１及び３１２の形状に応じて種々の変形が可能である。
【００３５】
更に、図５（Ｃ）に示される様に、第２ハウジング３２ｈにおける第２電気配線Ｗ２側の端部には、第２電気配線Ｗ２の挿入用の通路３２３が設けられている。通路３２３は、ソケットコンタクト３２ｔ１及び３２ｔ２の基端に達しており、第２電気配線Ｗ２とソケットコンタクト３２ｔ１及び３２ｔ２との接続箇所を、第２ハウジング３２ｈ内に配することが可能となっている。
【００３６】
図４（Ｄ）は、図４（Ａ）に示されるIVD−IVD線に沿う断面図であり、図５（Ｄ）は、図５（Ａ）に示されるVD−VD線に沿う断面図である。図４（Ｄ）及び図５（Ｄ）に示される様に、第１コネクタＣ１と第２コネクタＣ２とには、これらの電気的な接続を維持するロック機構３３が設けられている。具体的には、第１ハウジング３１ｈには、ベース部３１０から筒状嵌合部３１１及び３１２の側面に沿って延びた片持ち梁部３３１と、片持ち梁部３３１の先端部に形成された爪部３３２とが形成されている。
【００３７】
又、第２ハウジング３２ｈには、第１コネクタＣ１と第２コネクタＣ２との嵌合時に片持ち梁部３３１が挿入される差込部３３３と、差込部３３３の内側に形成されて爪部３３２との係止が可能な受け溝３３４とが形成されている。差込部３３３は、その内側での片持ち梁部３３１の撓曲を可能ならしめる空間を有する。従って、片持ち梁部３３１を撓曲させることにより、爪部３３２と受け溝３３４との係止を解除することが可能となっている。
【００３８】
上述した第２コネクタＣ２の構成によれば、挿入部３２１ｈ及び３２２ｈが外壁絶縁部３２０Ａで覆われているので、ソケットコンタクト３２ｔ１及び３２ｔ２を挿入部３２１ｈ及び３２２ｈで覆っただけの絶縁構造（基礎絶縁）よりも高い絶縁性能が得られ、その結果として絶縁性能の高い感電保護が実現される。即ち、第２コネクタＣ２には、基礎絶縁より絶縁性能の高い感電保護が可能な感電保護機構が構築されている。
【００３９】
この様な感電保護機構においては、外壁絶縁部３２０Ａにより絶縁性能が高められるため、挿入部３２１ｈ及び３２２ｈのサイズ（厚さなど）を小さくことができる。よって、第２コネクタＣ２のサイズを、従来のプラグハウジングのサイズと同程度まで小さくすることができる。
【００４０】
又、本実施形態では、嵌合凹部３２１及び３２２の内側に、挿入部３２１ｈ及び３２２ｈがそれぞれ設けられている。即ち、外壁絶縁部３２０Ａの内側の空間が仕切り絶縁部３２０Ｂにより２つに区画されている。よって、嵌合凹部３２１及び３２２のそれぞれにおける開口面積が小さくなっており、嵌合凹部３２１又は３２２内にユーザの指が入り難い構成となっている。よって、より安全性の高い感電保護が可能となっている。
【００４１】
よって、電源装置２（主に電力変換回路２２）が何らかの原因で故障したときに高い交流電圧がそのまま出力されてしまったとしても、安全である。具体的には、第２コネクタＣ２が第１コネクタＣ１から外されている場合であっても、第２コネクタＣ２での感電の危険性がなく、安全である。よって、電気用品としての安全性が高い。
【００４２】
更に、電源装置２側の第２コネクタＣ２に感電保護機構が構築されることにより、アース線が不要である。
【００４３】
感電保護の観点から、第２コネクタＣ２は、感電保護機構として、基礎絶縁に付加絶縁を施した二重絶縁構造、又はこれと同等以上の絶縁性能の発揮が可能な絶縁構造を有していることが好ましい。
【００４４】
より具体的には、電気用品安全法（ＰＳＥ規格）に規定の絶縁クラスであるクラスIIの条件を満たした絶縁構造を有することが好ましい。ここで、クラスIIは、感電に対する保護を基礎絶縁だけに依存せずに、二重絶縁又は強化絶縁のような追加の安全措置が講じられた機器が属する絶縁クラスである。尚、二重絶縁及び強化絶縁は、「電気用品安全法施行令別表第八」に規定されている。二重絶縁は、基礎絶縁に付加絶縁が施されたものであり、強化絶縁は、二重絶縁と同等以上の安全措置（感電保護）が講じられたものである。
【００４５】
一例として、第２コネクタＣ２は、以下の条件（１）〜（３）（「電気用品安全法施行令別表第八」に規定）の全てを満たすことが、電気用品安全法（ＰＳＥ規格）にて強化絶縁が構築されていると認められる点で、特に好ましい。
【００４６】
＜条件＞
（１）外郭を兼ねる絶縁物及び外傷を受けるおそれのある部分に用いる絶縁物の厚さは、２ｍｍ以上であること。
【００４７】
（２）外傷を受けるおそれのない部分に用いる絶縁物の厚さは、０．８ｍｍ以上であること。
【００４８】
（３）絶縁物におけるユーザが触れるおそれのある部分から端子部までの空間距離は、３ｍｍ以上であること。
【００４９】
そこで、本実施形態では、条件（１）を満たすべく、嵌合凹部３２１及び３２２を形成する外壁絶縁部３２０Ａの厚さＴ１（図５（Ｃ）参照）が、２ｍｍ以上に設定されている。又、条件（２）を満たすべく、挿入部３２１ｈ及び３２２ｈの厚さＴ２が、０．８ｍｍ以上に設定されている。更に、条件（３）を満たすべく、嵌合凹部３２１及び３２２のそれぞれの開口端からソケットコンタクト３２ｔ１及び３２ｔ２の先端までの距離Ｌ１（図５（Ｃ）参照）が、４ｍｍ以上に設定あれている。加えて、第２コネクタＣ２における上記開口端とは反対側の端からソケットコンタクト３２ｔ１及び３２ｔ２の基端までの距離Ｌ２（図５（Ｃ）参照）が、４ｍｍ以上に設定されている。
【００５０】
更に又、上述した照明装置によれば、ＬＥＤ照明器具１と電源装置２とを接続する際（電力供給配線時）に、第２電気配線Ｗ２を、電源装置本体２１の設置場所から作業し易い場所まで導き、その場所で第１コネクタＣ１と第２コネクタＣ２とを接続することが可能となる。例えば、天井にＬＥＤ照明器具１を設置する場合、天井裏に電源装置本体２１を設置すると共に第２電気配線Ｗ２を天井から垂らし、その状態で第１コネクタＣ１と第２コネクタＣ２とを接続することできる。よって、上述した照明装置によれば、電力供給配線時の施工性が高まる。
【００５１】
又、ＬＥＤ照明器具１に対して電源装置本体２１が外付けで接続されることにより、電源装置本体２１における放熱性が高められる。
【００５２】
上述した電源装置２は、ＬＥＤ照明器具１に限らず、直流電圧で駆動する種々の電力供給対象に対して適用することができる。又、上述した電源装置２の各部構成（主に第２コネクタＣ２の構成）は、非絶縁型に限定されない種々の電力変換回路を有した電源装置に適用することができる。
【００５３】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５４】
１  ＬＥＤ照明器具
２  電源装置
１１  照明器具本体
１２  ＬＥＤ
２１  電源装置本体
２２  電力変換回路
３１ａ、３２ａ  先端
３１ｈ  第１ハウジング
３１ｔ１、３１ｔ２  ピンコンタクト
３２ｈ  第２ハウジング
３２ｔ１、３２ｔ２  ソケットコンタクト
３３  ロック機構
Ｃ１  第１コネクタ
Ｃ２  第２コネクタ
Ｌ１、Ｌ２  距離
Ｔ１、Ｔ２  厚さ
Ｗ１  第１電気配線
Ｗ２  第２電気配線
３１０  ベース部
３１１、３１２  筒状嵌合部
３２０  ベース部
３２０Ａ  外壁絶縁部
３２０Ｂ  仕切り絶縁部
３２１、３２２  嵌合凹部
３２１ｈ、３２２ｈ  挿入部
３２３  通路
３３１  片持ち梁部
３３２  爪部
３３３  差込部
３３４  受け溝
【図１】
2018018648.tif 000003
【図２】
2018018648.tif 000004
【図３】
2018018648.tif 000005
【図４】
2018018648.tif 000006
【図５】
2018018648.tif 000007
【図６】
2018018648.tif 000008